(57)【要約】      （修正有）【課題】狭いデスクスペースでも利用できる光学利用マウスを提供すること。【解決手段】光学マウスにおいて、光センサ２を一般的配置とは異なるマウス１外殻上面に配置する。更に、マウス外殻上面を光センサ中心に円形の平面に形成し、その上に、底部に円盤部を具備すると共に上部にグリップを具備するコントローラ３を、その円形平面上に遊離して設ける。該コントローラ３を円形平面上で自在に水平移動させ、光センサ２で検出する事で移動距離と方向を入力する。【選択図】  図１
2004326724.tif 000002
【特許請求の範囲】
【請求項１】
光学マウスにおいて一般的には底面に配置される、マウスの移動距離と方向を算出する光センサをマウス外殻上面に配置し、その光センサを中心とするマウス外殻上面を円形の平面に形成し、底部に円盤部を具備して上部にグリップを具備するコントローラを、その平面上に遊離して設けたことを特徴とする、ポインティング・デバイス。
【請求項２】
請求項１記載のポインティング・デバイスにおいて、請求項１記載のコントローラを、上方へ移動させることにより、コントローラの移動距離と方向を算出する光センサ機能をオフにする、スイッチ機能を持つことを特徴とする、ポインティング・デバイス。
【請求項３】
請求項１記載のポインティング・デバイスにおいて、請求項１記載のコントローラから遊離した状態で、上下左右、４つの方向ボタンを内側に配置したリングを、マウス本体に固定して具備したことを特徴とする、ポインティング・デバイス。
【発明の詳細な説明】
【０００１】
【発明の属する技術分野】この発明は、狭いデスクスペースにおけるポインティング・デバイス操作において、正確にかつ、容易な操作性をもつマウスに関する。
【０００２】
【従来の技術】従来のマウスは、マウスパッド上や机の上を水平移動させることによりマウスカーソルの移動を行っていた。
【０００３】
【発明が解決しようとする課題】しかしながら、以上の技術においては、机の上が狭い場合やマウスパッドを置く場所が無い場合には、マウス操作が困難であるという欠点があった。また、プレゼンテーション等の場面で、ユーザが立ち上がりながら机を全く使わずにマウスを操作する場合、マウスカーソルの移動を行うということは、非常に困難であった。
【０００４】本発明の目的は、上述した欠点を取り除き、狭い机上スペースや机上スペースが全く無い場合において、正確にかつ、容易な操作性をもつマウスを提供することにある。
【０００５】
【課題を解決するための手段】前述した目的を達成するために、請求項１の発明は、光学マウスにおいて一般的には底面に配置される、移動距離と方向を算出する光センサをマウス外殻上面に配置する。その光センサを中心とするマウス外殻上面を円形の平面に形成し、底部に円盤部を具備して上部にグリップを具備するコントローラを、その平面上に遊離して具備し、そのコントローラを移動させることにより、コンピュータ画面上のマウスカーソルを移動させる。
【０００６】
請求項２の発明は、請求項１記載の発明におけるコントローラにおいて、コントローラの可動範囲外へ、マウスカーソルを移動させることを目的とする。コントローラの可動範囲外へマウスカーソルを移動させる場合、一旦、コントローラを上へ持ち上げて、光センサの検出範囲外へコントローラの円盤を移す。そして、コントローラを持ち上げたまま、移動したい方向の反対方向へコントローラを移動させた後、下へ下ろしてから移動したい方向へコントローラを移動する。コントローラを持ち上げたときと、下ろしたときのマウスカーソル位置は同じ位置を維持しているので、以上の操作を繰り返せば、コントローラの可動範囲に関係無く、マウスカーソルの移動が可能となる。
【０００７】
請求項３の発明は、請求項１記載の発明におけるコントローラにおいて、コントローラの可動範囲外へ、マウスカーソルを移動させることを目的とする。コントローラから遊離した状態で、上下左右、４つの方向ボタンを具備するリングをマウス本体に固定する。そのリングに具備される方向ボタンは、コントローラの円盤上部の支柱を用いてリング内側から押すことが可能であり、ボタンが押下されると、押されたボタンの方向へマウスカーソルが移動する。この方向ボタンの押下による操作はジョイスティックの操作に似ているので、コントローラの位置が光センサから遠くに位置する場合は、ジョイスティックのような操作が可能になり、光センサ近くに位置する場合は、マウスのような操作が可能になる。
【０００８】
【発明の実施の形態】この発明の実施形態を説明する。図１は、この発明の一実施形態を示す斜視図である。この実施形態のマウス本体（１）の外殻上面は円形の平面に形成され、その平面中心にマウスの移動距離と方向を算出する光センサ（２）を配置する。そして、底部に円盤部を具備して上部にグリップを具備するコントローラ（３）を、マウス上面の平面から遊離して設ける。コントローラ（３）のグリップ上面には、左ボタン（５）、右ボタン（６）を配置し、これらのボタンは、マウスのボタンと同等の操作が可能である。さらに、そのコントローラ（３）から遊離した状態で、マウス本体（１）の外殻上面に、リング（４）をリング固定具（７）を用いて固定する。そのリング（４）には、上下左右、４つの方向ボタンを、コントローラ（３）を用いてリング内側から押下できるように配置する。
【０００９】
コンピュータ画面上のマウスカーソルを移動させる場合、コントローラ（３）を片手の指で掴んで水平に移動させることにより行う。そのコントローラ（３）の可動範囲は、リング（４）により制限され、それ以外の範囲にマウスカーソルを移動させる場合は、一旦、コントローラ（３）を上へ持ち上げて、光センサの検出範囲外へコントローラ（３）の円盤を移す。そして、コントローラ（３）を持ち上げたまま、移動したい方向の反対方向へコントローラ（３）を移動させた後、下へ下ろしてから移動したい方向へコントローラ（３）を移動する。コントローラ（３）を持ち上げたときと、下ろしたときのマウスカーソル位置は同じ位置を維持しているので、以上の操作を繰り返せば、コントローラ（３）の可動範囲に関係無く、マウスカーソルの移動が可能となる。この操作は、一般的なマウス操作において、マウスパッドの隅にマウスが位置した場合の操作に似ているので、一般的なマウス操作を知っていれば、容易に習得が可能である。
【００１０】
コントローラ（３）の可動範囲外へマウスカーソルを移動させる場合、リング（４）に配置された方向ボタンを、コントローラ（３）の円盤上部の支柱を用いてリング内側から押すことにより行うことも可能である。この方向ボタンが押されている間はボタンの方向へマウスカーソルが移動するので、コントローラ（３）の支柱が光センサ（２）から遠くに位置する場合は、ジョイスティックのような操作が可能になり、光センサ（２）近くに位置する場合は、マウスのような操作が可能になる。親指のみを用いてコントローラ（３）を操作する場合は、コントローラ（３）を上へ持ち上げる操作が困難であるので、この方向ボタンを利用する。
【００１１】
【発明の効果】上述したように本発明のマウスは、コントローラ（３）を水平に移動させることによりコンピュータ画面上のマウスカーソルを移動させる機能、コントローラ（３）を上へ持ち上げて光センサを無効にする機能、及び、リング（４）に配置された方向ボタンの押下によりマウスカーソルを移動させる機能により、狭い机上スペースや机上スペースが全く無い場合において、正確にかつ、容易な操作性をもつパーソナルコンピューター用ポインティング・デバイスを提供できる。
【図面の簡単な説明】
【図１】本発明の実施形態を示すマウスの斜視図
【符号の説明】
１  マウス本体
２  コントローラの移動距離と方向を算出する光センサ
３  底部に円盤部を具備して上部にグリップを具備するコントローラ
４  リング
５  左ボタン
６  右ボタン
７  リング固定具
８  ＵＳＢインターフェース
【図１】
2004326724.tif 000003